(57)【要約】【課題】ドリップバッグ本体を開口させつつ、カップに懸架させ、簡易に本格的なドリップ式コーヒー等の飲料をいれられるドリップバッグの提供。【解決手段】通水濾過性シート材料からなり、上端に開口部を有するドリップバッグ本体と、ドリップバッグ本体の表面に設けられた懸架部材とから構成される。懸架部材は、前記のドリップバッグ本体の対向する両側面部の適宜位置の表面に固着される支持部と、カップの周縁部に係止するための掛止部とを一体に備える。支持部と掛止部との接点部は、ドリップバッグ本体両側面部の、水平方向における略中央に位置するように設けられ、掛止部を前記の接点部からカップの周縁部に向けて、支持部と略垂直方向に張力を加え、ドリップバッグ本体を開口させて、開口部から湯を注ぐ。【選択図】  図７
2004208906.tif 000002
【特許請求の範囲】
【請求項１】
通水濾過性シート材料からなり、上端に開口部を有するドリップバッグ本体と、
ドリップバッグ本体の表面に設けられた懸架部材とから構成され、
前記の懸架部材は、前記のドリップバッグ本体の対向する両側面部の適宜位置の表面に固着される支持部と、カップの周縁部に係止するための掛止部とを一体に備え、
前記の支持部と掛止部との接点部は、ドリップバッグ本体両側面部の、水平方向における略中央に位置するように設けられ、
掛止部をカップの周縁部に懸架させることにより、ドリップバッグ本体の水平方向の略中央の接点部からカップの周縁部に向けて支持部と略垂直方向に、ドリップバッグの開口部を最大かつ均一に開口させるように張力が加えられ、飲料抽出用液体を注ぐ際に開口状態に保持することが可能なことを特徴とする、ドリップバッグ。
【請求項２】
請求項１に記載の発明において、
前記の支持部は、ドリップバッグ本体の開口部周辺を支持する開口支持部と、懸架部材との接点部を備え、ドリップバッグ本体の側面部周辺を支持する側面支持部とを含み構成したことを特徴とする、ドリップバッグ。
【請求項３】
請求項１または２のいずれかに記載の発明において、
前記の掛止部は、カップの周縁部に掛止するための切り欠き部を有することを特徴とする、ドリップバッグ。
【請求項４】
請求項１〜３のいずれかに記載の発明において、
前記の支持部には一以上の折り曲げ部が設けられたことを特徴とする、ドリップバッグ。
【請求項５】
請求項１〜４のいずれかに記載の発明において、
前記の掛止部には、複数の切り欠き部が設けられ、カップの大きさに合わせて適切な切り欠き部によってカップの周縁部に掛止することが可能なことを特徴とする、ドリップバッグ。
【請求項６】
請求項１〜５のいずれかに記載の発明において、
掛止部が備える前記の切り欠き部は、ドリップバッグ本体に対する切り欠きの上端の垂直方向における位置関係により、使用状態において、ドリップバッグ本体をカップ内の上下方向における適宜位置に保持するように設けられたことを特徴とする、ドリップバッグ。
【請求項７】
請求項２〜６のいずれかに記載の発明において、
懸架部材との接点部を備える前記の側面支持部は、ドリップバッグ本体に対する接点部の垂直方向における位置関係により、使用状態において、ドリップバッグ本体をカップ内の上下方向における適宜位置に保持するように設けられたことを特徴とする、ドリップバッグ。
【請求項８】
請求項１〜７のいずれかに記載の発明において、
ドリップバッグ本体内に所定量のコーヒー粉などの飲料抽出原料が充填され、袋本体の上端が閉じられていることを特徴とする、ドリップバッグ。
【発明の詳細な説明】
【０００１】
【発明の属する技術分野】
本発明は、ドリップ式の飲料抽出のためのドリップバッグに関し、特にカップ等の容器に懸架して、湯を注ぐことにより容易にドリップ式コーヒー、紅茶、茶などの飲料をいれることのできるドリップバッグである。
【０００２】
【従来の技術】
コーヒーなどの飲料のいれ方の代表的なものとしてドリップ式が知られている。ドリップ式は、綿ネル等の布製のこし袋に用量のコーヒー粉などの飲料抽出原料を入れ、熱湯を静かに注ぎ、４〜５分程度で浸出液をこし取るという方法である。ドリップ式においては、まず、熱湯でコーヒー粉などの全体を蒸らし、均等かつ十分に膨潤させ、その後全体に徐々にあるいは数回に分けて注湯する。
ドリップ式は、比較的簡便に美味しいコーヒー等の飲料を得る方法として普及しているが、そこで使用する布製のこし袋について取扱が繁雑であり、近年では布製のこし袋に代えて濾紙や不織布等の使い捨てフィルターが多く用いられている。
【０００３】
ところで、コーヒーを例に見れば、家庭にもインスタントコーヒーではない、本格的なコーヒーメーカーなどが普及してきているが、ドリップ式のコーヒーを本格的にいれるためには、専用の抽出器具をそろえなければならないほか、コーヒーフィルター、コーヒー豆やこれを挽いたコーヒー粉などをそろえなければならない。また、コーヒーなどの飲料をいれた後には器具を洗ったり、それなりの手間を掛けなければならない。手間を惜しむ消費者は、本格的なドリップ式コーヒー等の飲料の味覚と香りを気軽に楽しむことはできない。
【０００４】
【発明が解決しようとする課題】
そこでこのような課題を解決するために、１回分のコーヒー粉を入れたドリップバッグを、特別な器具を必要とすることなくカップに懸架して、ドリップバッグの開口部から湯を注ぐことにより、ドリップ式コーヒー等の飲料をいれられるような飲料抽出用のドリップバッグが開発されている。このようなドリップバッグを利用すれば、飲料をいれた後にはドリップバッグをそのまま捨てればすむために手間もかからない。
【０００５】
たとえば、実用新案登録第２５０５９５９号「抽出バッグ」においては、カップなどの容器に安定して懸架し、湯などの抽出液を注加することのできる抽出バッグが開示されている。
上端に開口部を有する袋本体と、袋本体の両面にそれぞれ１個ずつ固定された一対の係止部材とを有し、係止部材は袋本体に貼着固定された一対の支持体と、この一対の支持体により引き起こし可能に支持され、係止用凹部を有する一対の係止片とから構成されている。係止片は、支持体から伸び出ている連続部を介して支持体に連続しており、支持体から引き起こされた係止片が外側に伸び出してカップに懸架されるというものである。
また同じ方式のドリップバッグとして、特許第２８８８５７８号「抽出バッグ」があるが、これも下記のような構成を有している。
通水濾過性シート材料からなり、互いに対向する前後両面部を有し、かつ上端に開口部を有する袋本体と、前記袋本体の前後両面部の、前記上端開口部の下に固定されていて、前記上端開口部を開口したとき、前記袋本体を開口状態に保持する保形部材と、前記保形部材の一部分により形成され、かつ前記保形部材から引き起すことができる係止部材とを含んで構成されている。
【０００６】
しかしながら、上記のような従来のドリップバッグによれば、係止片あるいは係止部材を袋本体から一方向に引き起こして、ドリップバッグ両面から引き起こされた係止片または係止部材をカップの縁に懸架することにより、係止片または係止部材がカップに懸架された方向においては袋本体が強固に支持されるものの、反対の方向においては袋本体を支持するものがないために、カップに懸架された方向とは反対側に袋本体が傾いてしまう。
また、一対の係止片または係止部材がカップに懸架された方向に袋本体が引っ張られる力が働くために、袋本体上部の開口部は、懸架されたカップの一方の縁方向に引っ張られてしまい、開口状態を広く開いておくことが困難である。
したがって従来のドリップバッグでは、カップのある一方にドリップバッグの開口部が引っ張られてしまうので、開口部を最大限に広く開いた状態で湯などを注ぐことができず、注ぎにくい。また開口部が特定方向に引っ張られて歪んでいるために、ドリップバッグの開口部にうまく注ぐことができずに、直接カップに湯がこぼれてしまい、飲料が薄められてしまうこともあった。
【０００７】
そこで、上記の様々な課題を解決するため、本発明の目的は、カップの周縁部に懸架させ開口部から湯を注ぐことにより、特別な器具を必要とすることなく飲料をいれられるドリップバッグにおいて、掛止部を前記の接点部からカップの周縁部に向けて、ドリップバッグ本体の水平方向の略中央から、支持部と略垂直方向に、ドリップバッグの開口部を最大かつ均一に開口させるように張力を加えることにより、飲料抽出用液体を注ぐ際に開口状態に保持することが可能なドリップバッグを提供することである。
これにより、従来のドリップバッグでは、係止片または係止部材がカップに懸架された方向に開口部が引っ張られて、開口部が変形し、広く開口できないという問題を解決する。ドリップバッグを両側面の中央近辺から、両方向に引っ張る力を加えることにより、開口部を最大限に開口でき、しかも一方向から引っ張られる力により不均一に変形してしまうことを防ぐことを目的とする。
【０００８】
ところで、本来のドリップ式コーヒーなどの飲料のいれ方に沿って注湯工程を行い、良好な香味の飲料浸出液を得るためには、湯を注いでコーヒーなどを抽出する際に、袋本体が抽出された液体に浸らないようにすることが望まれる。
従来のドリップバッグにおいては、支持体の設計の自由度が制約されていたために、こうした課題を解決するためには下記の方法をとらざるを得なかった。
【０００９】
たとえば特開平１０−１４７７１「コーヒードリップバッグ」は、上端に開口部を有する袋本体と、袋本体の表面に設けられた係止部材とからなり、係止部材は引き起こし可能に形成された係止片と、袋本体の表面に固着され係止片を支持する支持体とからなり、係止片は、引き起こされた状態でカップの上縁部に係止する係止用凹部を有し、かつその係止用凹部の上端が、袋本体の下半分側に位置している、というものである。
すなわち、支持体を含む係止部材全体を袋本体の下方に固着させることにより、袋本体をカップに浸らないように上方向に持ち上げるという形態をとっている。
【００１０】
しかしながら、この方式によれば、袋本体の上半分には袋を支える支持体がなくなってしまう。これでは現実には、湯を注いだ後にはコーヒー粉が水分を含み、重くなり、しかも注がれる湯の勢いを受けなければならず、薄手の柔軟な袋本体を支えることは困難である。湯などが注ぎやすいように開口部を開いた状態で維持させることも困難である。
【００１１】
そこで、本発明のさらなる目的は、たとえば、ドリップバッグ本体の開口部周辺を支持する開口支持部と、懸架部材との接点部を備えドリップバッグ本体の側面部周辺を支持する側面支持部とを含む支持部を構成し、カップに懸架される掛止部分の垂直方向における位置を適切な位置に設けることにより、ドリップバッグが抽出された飲料に浸かりにくくできるような設計などが自由に行なえるドリップバッグを提供することである。また、ドリップバッグの開口部近辺を強固に支持しつつ、しかも湯などが注がれてもドリップバッグの両側面の略中央から強固に袋本体を支えることが可能なドリップバッグを提供することである。
【００１２】
【課題を解決するための手段】
上記課題を解決するため、請求項１に記載の発明においては、
通水濾過性シート材料からなり、上端に開口部を有するドリップバッグ本体と、ドリップバッグ本体の表面に設けられた懸架部材とから構成され、
前記の懸架部材は、前記のドリップバッグ本体の対向する両側面部の適宜位置の表面に固着される支持部と、カップの周縁部に係止するための掛止部とを一体に備え、
前記の支持部と掛止部との接点部は、ドリップバッグ本体両側面部の、水平方向における略中央に位置するように設けられ、
掛止部をカップの周縁部に懸架させることにより、ドリップバッグ本体の水平方向の略中央の接点部からカップの周縁部に向けて支持部と略垂直方向に、ドリップバッグの開口部を最大かつ均一に開口させるように張力が加えられ、飲料抽出用液体を注ぐ際に開口状態に保持することが可能なドリップバッグであることを特徴としている。
【００１３】
また、上記課題を解決するため、請求項２に記載の発明においては、
請求項１に記載の発明において、
前記の支持部は、ドリップバッグ本体の開口部周辺を支持する開口支持部と、懸架部材との接点部を備え、ドリップバッグ本体の側面部周辺を支持する側面支持部とを含み構成したドリップバッグであることを特徴としている。
【００１４】
また、上記課題を解決するため、請求項３に記載の発明においては、
請求項１または２のいずれかに記載の発明において、
前記の掛止部は、カップの周縁部に掛止するための切り欠き部を有するドリップバッグであることを特徴としている。
【００１５】
また、上記課題を解決するため、請求項４に記載の発明においては、
請求項１〜３のいずれかに記載の発明において、
前記の支持部には一以上の折り曲げ部が設けられたドリップバッグであることを特徴としている。
【００１６】
また、上記課題を解決するため、請求項５に記載の発明においては、
請求項１〜４のいずれかに記載の発明において、
前記の掛止部には、複数の切り欠き部が設けられ、カップの大きさに合わせて適切な切り欠き部によってカップの周縁部に掛止することが可能なドリップバッグであることを特徴としている。
【００１７】
また、上記課題を解決するため、請求項６に記載の発明においては、
請求項１〜５のいずれかに記載の発明において、
掛止部が備える前記の切り欠き部は、ドリップバッグ本体に対する切り欠きの上端の垂直方向における位置関係により、使用状態において、ドリップバッグ本体をカップ内の上下方向における適宜位置に保持するように設けられたドリップバッグであることを特徴としている。
【００１８】
また、上記課題を解決するため、請求項７に記載の発明においては、
請求項２〜６のいずれかに記載の発明において、
懸架部材との接点部を備える前記の側面支持部は、ドリップバッグ本体に対する接点部の垂直方向における位置関係により、使用状態において、ドリップバッグ本体をカップ内の上下方向における適宜位置に保持するように設けられたドリップバッグであることを特徴としている。
【００１９】
また、上記課題を解決するため、請求項８に記載の発明においては、
請求項１〜７のいずれかに記載の発明において、
ドリップバッグ本体内に所定量のコーヒー粉などの飲料抽出原料が充填され、袋本体の上端が閉じられているドリップバッグであることを特徴としている。
【００２０】
【発明の実施の形態】
以下、本発明の実施例を図面に基づいて具体的に説明する。なお、各図中、同一符号は同一又は同等の構成要素を表している。
【００２１】
（第一の実施形態）
本発明のドリップバッグは通水濾過性シート材料からなり、上端に開口部を有するドリップバッグ本体と、ドリップバッグ本体の表面に設けられた懸架部材とから構成されている。
前記の懸架部材は、前記のドリップバッグ本体の対向する両側面部の適宜位置の表面に固着される支持部と、カップの周縁部に係止するための掛止部とを一体に備えている。
図１は、本発明のドリップバッグを構成する、ドリップバッグ本体の表面に設けられる懸架部材を示す。図１においては、通水濾過性シート材料からなるドリップバッグ本体の両側面に設けられる２片の懸架部材を示している。
図１において、符号２は懸架部材、２１（２１ａ、２１ｂ）は支持部、２２は掛止部、２２０は切り欠き部を示している。また符号２１０は後述する接点部を示している。掛止部２２は、望ましい形態としては、カップの周縁部に掛止するための切り欠き部２２０を有するが、図に示す切り欠き以外の形状や構成の掛止部材を採用してもよい。
支持部２１は、請求項３に記載したように、ドリップバッグ本体の開口部周辺を支持する開口支持部２１ａと、懸架部材との接点部を備えドリップバッグ本体の側面部周辺を支持する側面支持部２１ｂとを含み構成される形態が、望ましい構成の一例である。
【００２２】
ドリップバッグ本体は、通水濾過性シート材料からなる袋状のものであり、通水濾過性シート材料の一例としては不織布などの素材があげられる。
また、ドリップバッグ本体１を形成する通水濾過性シート材料としては、所定量のコーヒー粉などの飲料抽出原料を充填し、注湯した場合にコーヒーなどの抽出飲料の浸出が可能であるものを種々使用することができる。たとえば、ポリエステル、ナイロン、ポリエチレン、ポリプロピレン、ビニロン等の合成繊維やレーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等紙類を使用することができる。
また、通水濾過性シート材料としては、複数の異なる層からなる積層材料を使用してもよい。たとえば、１層目がポリエステル、２層目がレギュラーポリエステルと低融点ポリエステルとの混抄紙、３層目がポリプロピレンの極細繊維からなるメルトブロー不織布からなる３層構造のシート材料は、味、香り、風味、抽出時間の点で好ましい。
【００２３】
また図面においては、ドリップバッグ本体１はマチのない形状を示しているが、必ずしもこの形状には限定されず、たとえばマチがある形状、全体が直方体で底面が長方形になるような立体的な形状，などのドリップバッグ本体を用いることもできる。
【００２４】
図２は、懸架部材２がドリップバッグ本体１の表面に設けられたドリップバッグ全体の右側面図および左側面図である。符号１はドリップバッグ本体を示している。
ドリップバッグ本体１の表裏の適宜の位置には、望ましくは対称的に、紙、プラスチックシート等の薄板状材料からなる懸架部材２が貼着、熱圧着、その他の固定方法により固定されて設けられている。
前記の支持部２１（２１ａ、２１ｂ）および掛止部２２は、平面板状の懸架部材により一体となって構成されることが望ましい形態であるが、懸架部材２の形状は図面に示した以外にも様々な形態を採用することができる。
支持部２１と掛止部２２との接点部は懸架部材２に折り曲げ形状を設けることにより構成されている。
【００２５】
前記の支持部２１（２１ｂ）と掛止部２２との接点部２１０は、ドリップバッグ本体両側面部の、水平方向における略中央に位置するように設けられている。
図２から明らかなように、折り曲げ形状の接点部２１０は、ドリップバッグ本体１両側面部の、水平方向における略中央に位置するように設けられることにより、掛止部２２を前記の接点部２１０からカップの周縁部に向けて、支持部と略垂直方向に張力を加え、ドリップバッグ本体を開口させつつカップの周縁部に懸架させることができる。
図３および図４は、本発明のドリップバッグを構成する、ドリップバッグ本体１の表面に設けられる懸架部材２の別の一例を示すものであるが、支持部２１の横方向での長さ、縦方向での長さなどには特に限定されず、また図面中においてアルファベットのＴ字型に近似した形状を一例としては示しているが、形状も特に限定されない。
懸架部材２の形状は、ここに一例を示した形態に限定されるものではなく、様々な形状や形態を採用することができる。
【００２６】
懸架部材２は、少なくとも掛止部がドリップバッグ本体に固着されない構成を有しており、このため、使用時にドリップバッグは柔らかい袋状の素材のためコーヒーカップ内側に位置するが、掛止部２２はカップの周縁部に切り欠き部２２０が掛止される。支持部２１（２１ａ、２１ｂ）は、その一部又は全部においてドリップバッグ本体に固着されている。
【００２７】
図５は、ドリップバッグ本体１の袋状の内部に、所定量のコーヒー粉等が充填されているドリップバッグを示している。符号４はコーヒー粉等の飲料抽出原料である。
ドリップバッグ本体１の上端は、開封する前にはコーヒー粉等４を封止するために、使用前には閉じられている。たとえばドリップバッグ本体１の上端部にミシン目が施され、これを切り離すことにより開口容易となる。
ドリップバッグ本体１内に所定量のコーヒー粉等４を充填後、接着剤あるいは熱接着により封じられるが、バッグの使用時に容易に開口できるように開口部にはミシン目等を付しておいてもよく、また袋本体の表裏の矩形面を容易に剥がすことができるように熱接着の接着強度を調整してもよい。
また、使用前のドリップバッグ上端の、開口するためにミシン目などから切り取られる部分と、同位置にミシン目などが入れられた懸架部材２とを一体に固着して、開口する切り口を形成することもできる。
【００２８】
次に、本発明のドリップバッグの第一の実施形態の使用状態について説明する。
図６は、コーヒー粉等４が充填されたドリップバッグ本体１を開口し、折り曲げ形状の接点部２１０により、支持部２１と掛止部２２とが連結されている状態を示す。支持部２１と掛止部２２とは平面板状の懸架部材により一体に構成されて、使用前には図５に示すように平面板状に収容されており、使用する際には図６に示すように折り曲げ形状の接点部２１０を折り曲げることにより使用可能にされている。
【００２９】
図７は、開口したドリップバッグの使用状態を、斜め上方向から見下ろした斜視図である。符号５はカップを示している。切り欠き部２２０がカップの周縁部に掛止され、ドリップバッグ両側面の懸架部材２がそれぞれの方向のカップ周縁部に懸架されている。
図８は、開口したドリップバッグの使用状態を、上部の開口部から見下ろした平面図である。
掛止部２２をカップ５の周縁部に懸架させた状態で、ドリップバッグ本体１上部の開口部から飲料抽出のための湯などを注ぐことが可能にされているが、前記のように、接点部２１０が、ドリップバッグ本体１両側面部の、水平方向における略中央に位置するように設けられている。そのため、掛止部２２をカップ５の周縁部に懸架させることにより、ドリップバッグ本体１の水平方向の略中央の接点部２１０からカップ５の周縁部に向けて支持部２１と略垂直方向に、ドリップバッグの開口部を最大かつ均一に開口させるように張力が加えられ、ドリップバッグ本体１を開口させつつカップ５の周縁部に懸架させることができ、飲料抽出用液体を注ぐ際に開口部を大きく開口状態のまま保持させておくのに好適である。
図８に示されるように、ドリップバッグを両側面の中央近辺から、両方向に引っ張る力を加えることにより、開口部を最大限に開口でき、しかも一方向から引っ張られる力により不均一に変形してしまうことを防ぐ。
【００３０】
ドリップバッグ本体１は、図７および図８において、コーヒー粉等４を充填した袋状の部分がカップ５の内側に納まるように、掛止部２２をコーヒーカップ周縁部に懸架することにより保持される。掛止部２２には、切り欠き部２２０が設けられており、切り欠き部２２０をカップ５の周縁部に懸架することにより、ドリップバッグ本体１がカップ５内部の中空に保持される。
懸架部材２は、支持部２１においてドリップバッグ本体１と固着されている。掛止部２２はドリップバッグ本体とは固着されていないので、図７および図８に示すように２片の懸架部材２をカップ５の周縁部に懸架することにより、容易に保持させることができる。
【００３１】
本発明の代表的な実施形態において、支持部２１は、前記のようにドリップバッグ本体１の開口部周辺を支持する開口支持部２１ａと、懸架部材２との接点部２１０を備えドリップバッグ本体１の側面部周辺を支持する側面支持部２１ｂとを含み構成される。
再度図１を参照すれば、開口支持部２１ａはドリップバッグの開口部近辺を支持するのに好適なように、水平方向に長く延びて設けられている。開口支持部２１ａの下方に、ドリップバッグの垂直方向を支持するのに好適なように、側面支持部２１ｂが垂直方向に長く延びて設けられている。
側面支持部２１ｂの形状は、必ずしも各図面に示すような長方形、矩形を採用しなくてもよく、様々な形状に構成することができる。また側面支持部２１ｂの垂直方向の長さも、適宜変形して形成することができる。
【００３２】
請求項７に記載したように、懸架部材２との接点部２１０を備える側面支持部２１ｂは、ドリップバッグ本体１に対する接点部２１０の垂直方向における位置関係により、使用状態において、ドリップバッグ本体１をカップ内の上下方向における適宜位置に保持するように設けることができる。
図１においては、支持部２１と掛止部２２との接点部２１０は、掛止部２２が開口支持部２１ａのすぐ下方に位置するように設けられた例を示しているが、掛止部２２の垂直方向での位置は自由に設計ができるので、掛止部２２や切り欠き部２２０の形状を変形させて構成したり、あるいは接点部２１０の位置を下方に設けるなどすることにより、ドリップバッグ本体１を保持させる垂直方向の位置を適宜位置にすることができる。
図９は、本発明の実施形態の一例を示すドリップバッグの側面図の一例であり、図９においては、接点部２１０が図１等に示した形態よりも垂直方向で下方に設けられている。このため、掛止部２２の切り欠き部をカップに懸架させた際に、接点部が下方に設けられている分だけドリップバッグ本体１をカップ内において上方に保持することができるようにされている。
【００３３】
また、ドリップバッグ本体１をカップ内の上下方向における適宜位置に保持するためには、掛止部２２が備える切り欠き部２２０の切り欠きの深さにより調整することができる。
請求項６に記載したように、切り欠き部２２０は、ドリップバッグ本体１に対する切り欠きの上端の垂直方向における位置関係により、使用状態において、ドリップバッグ本体１をカップ内の上下方向における適宜位置に保持するように設けることができる。
【００３４】
また懸架部材２のドリップバッグ本体１への固定位置は、特に限定されず様々な構成を採用することができるので、たとえば懸架部材２の上端が、ドリップバッグ本体１の上端に位置することでもよい。
懸架部材２の上端が、ドリップバッグ本体１の上端に位置するようにしても、コーヒーカップに掛止する切り欠き部２２０は懸架部材２の上端よりも下方に位置するように形成すれば、ドリップバッグ本体１内のコーヒー粉がコーヒーカップの底部から高く持ち上がるので、コーヒー粉が浸出液で浸ることを避けることがより可能になる。本来のドリップ式コーヒーと同様に良好な香りと味のコーヒー浸出液を得ることが可能となる。
【００３５】
一方、懸架部材２のドリップバッグ本体１への固定は、懸架部材２の上端が、ドリップバッグ本体１の上端より下部に位置するように形成してもよい。
このようによれば、ドリップバッグ本体１内のコーヒー粉がコーヒーカップの底部から高く持ち上がるので、コーヒー粉が浸出液で浸ることを避けることがより可能になる。本来のドリップ式コーヒーと同様に良好な香りと味のコーヒー浸出液を得ることが可能となる。
【００３６】
次に、支持部２１の開口支持部２１ａの水平方向の幅は、適宜変形して形成することができる。開口支持部２１ａの水平方向の幅を広くすれば、ドリップバッグ本体１の開口部を強固に支持することができる。
この場合において、開口部を広く開口させるための好ましい形態の一例としては、請求項４に記載したように、支持部２１には一以上の折り曲げ部が設けられ、折り曲げ線に従って開口支持部２１ｂを折り曲げることにより広く開口させる形態を採用することができる。
図１０は、本実施形態のドリップバッグの側面図であり、図１１はその使用状態をカップの上方から見下ろした平面図である。図１０および図１１において、符号２１１は折り曲げ部を示している。
また、図１０および図１１において、ドリップバッグ両側面それぞれの懸架部材２に折り曲げ部２１１を設け、開口支持部２１ａの水平方向の幅を広くとった例を示しているが、さらに開口支持部２１ａをドリップバッグ開口部の全周にわたり設けることもできる。ドリップバッグ両側面の開口支持部２１ａ同士が連結されて、開口部の全周にわたり設けられるようにすることもできる。
【００３７】
次に、本発明の別の実施形態について説明する。
請求項５に記載したように、掛止部２２には、複数の切り欠き部２２０を設けておくことができる。カップの大きさに合わせて適切な切り欠き部を用いることにより、カップの周縁部に掛止することが可能になるために、径が異なる様々なカップにおいて使用することができる。
図１２は、複数の切り欠き部２２０が設けられた懸架部材２の一例を示す。
【００３８】
（第二の実施形態）
次に、本発明の第二の実施形態について説明する。
図１３は、懸架部材２がドリップバッグ本体１の表面に設けられたドリップバッグ全体の一例を示す側面図である。
本実施形態においては、ドリップバッグ本体両側面部の各接点部から、それぞれ複数の掛止部が設けられている。
この場合にも本発明のドリップバッグは、通水濾過性シート材料からなり、上端に開口部を有するドリップバッグ本体１と、ドリップバッグ本体１の表面に設けられた懸架部材２とから構成されている。
また図１４は、懸架部材２がドリップバッグ本体１の表面に設けられたドリップバッグ全体の別の一例を示す側面図である。
掛止部を前記の接点部からカップの周縁部に向けて張力を加え、ドリップバッグ本体を開口させつつカップの周縁部に懸架させることにより、ドリップバッグ本体上部の開口部から飲料抽出のための湯などの飲料抽出用液体を注ぐことが可能にされている。
【００３９】
前記の懸架部材は、前記のドリップバッグ本体の対向する両側面部の適宜位置の表面に固着される支持部２１と、カップの周縁部に係止するための掛止部２２とを備える。
掛止部２２をカップの周縁部に懸架させた状態で、ドリップバッグ本体１上部の開口部から飲料抽出のための湯などを注ぐことが可能にされている。
ドリップバッグ本体は、通水濾過性シート材料からなる袋状のものであり、通水濾過性シート材料の一例としては不織布などの素材があげられ、第一の実施形態と同様である。
【００４０】
次に、本発明のドリップバッグの第二の実施形態の使用状態について説明する。
図１５は、開口したドリップバッグの使用状態を、上部の開口部から見下ろした平面図である。符号５はカップを示している。
掛止部をカップの周縁部に懸架させた状態で、ドリップバッグ本体上部の開口部から飲料抽出のための湯などを注ぐことが可能にされている。
ドリップバッグ本体１は、図１５において、コーヒー粉等４を充填した袋状の部分がカップ５の内側に納まるように、掛止部２２をカップ周縁部に懸架することにより保持される。ドリップバッグ本体それぞれの側面に複数設けられた掛止部２２には、それぞれ切り欠き部２２０が設けられており、切り欠き部２２０をカップ５の周縁部に懸架することにより、ドリップバッグ本体１がカップ５内部の中空に保持される。
懸架部材２は、支持部２１においてドリップバッグ本体１と固着されている。掛止部２２はドリップバッグ本体とは固着されていないので、図１５に示すように掛止部２２をカップの周縁部に懸架することにより、容易に保持させることができる。
【００４１】
【発明の効果】
以上詳細に説明したように、本発明によれば、カップの周縁部に懸架させ開口部から湯を注ぐことにより、特別な器具を必要とすることなく飲料をいれられるドリップバッグにおいて、掛止部を接点部からカップの周縁部に向けて、ドリップバッグ本体の水平方向の略中央から、支持部と略垂直方向に、ドリップバッグの開口部を最大かつ均一に開口させるように張力を加えることにより、飲料抽出用液体を注ぐ際に開口部を最大限に近い程度にまで開いた状態で保持することが可能なドリップバッグを提供することができる。
これにより、従来のドリップバッグでは、係止片または係止部材がカップに懸架された方向に開口部が引っ張られて、開口部が変形し、広く開口できないという問題を解決する。ドリップバッグを両側面の中央近辺から、両方向に引っ張る力を加えることにより、開口部を最大限に開口でき、しかも一方向から引っ張られる力により不均一に変形してしまうことを防ぐことが可能になる。
したがって従来のドリップバッグのように、カップのある一方にドリップバッグの開口部が引っ張られてしまうことがなく、開口部を最大限に広く開いた状態で湯などを注ぐことができるため注ぎやすい。また開口部が特定方向に引っ張られて歪むこともないので、ドリップバッグの開口部にうまく注ぐことが容易にでき、直接カップに湯がこぼれて飲料が薄められてしまうことを防ぐ効果がある。
【００４２】
さらに本発明によれば、設計の自由度を生かして、たとえば、ドリップバッグ本体の開口部周辺を支持する開口支持部と、懸架部材との接点部を備えドリップバッグ本体の側面部周辺を支持する側面支持部とを含む支持部を構成し、カップに懸架される掛止部分の垂直方向における位置を適切な位置に設けることにより、ドリップバッグが抽出された飲料に浸かりにくくできるような設計などが自由に行なえる。また、ドリップバッグの開口部近辺を強固に支持しつつ、しかも湯などが注がれてもドリップバッグの両側面の略中央から強固に袋本体を支えることが可能なドリップバッグを提供することが可能になる。
【図面の簡単な説明】
【図１】本発明のドリップバッグを構成する、ドリップバッグ本体１の表面に設けられる懸架部材２を示す図である。
【図２】懸架部材２がドリップバッグ本体１の表面に設けられたドリップバッグ全体の右側面図および左側面図である。
【図３】懸架部材２の別の一例を示す図である。
【図４】懸架部材２の別の一例を示す図である。
【図５】ドリップバッグ本体１の袋状の内部に、所定量のコーヒー粉が充填されているドリップバッグを示す図である。
【図６】コーヒー粉等が充填されたドリップバッグ本体１を開口し、折り曲げ形状の接点部２１０により、支持部２１と掛止部２２とが連結されている状態を示す図である。
【図７】開口したドリップバッグの使用状態を、斜め上方向から見下ろした斜視図である。
【図８】開口したドリップバッグの使用状態を、上部の開口部から見下ろした平面図である。
【図９】本発明の実施形態の一例を示すドリップバッグの一例を示す側面図である。
【図１０】本発明の実施形態の一例を示すドリップバッグの側面図である。
【図１１】図１０に示すドリップバッグの使用状態をカップの上方から見下ろした平面図である。
【図１２】複数の切り欠き部２２０が設けられた懸架部材２の一例を示す図である。
【図１３】懸架部材２がドリップバッグ本体１の表面に設けられたドリップバッグ全体の一例を示す側面図である。
【図１４】懸架部材２がドリップバッグ本体１の表面に設けられたドリップバッグ全体の別の一例を示す側面図である。
【図１５】開口したドリップバッグの使用状態を、上部の開口部から見下ろした平面図である。
【符号の説明】
１  ドリップバッグ本体
２  懸架部材
２１  支持部
２１ａ  開口支持部
２１ｂ  側面支持部
２１０  接点部
２１１  折り曲げ部
２２  掛止部
２２０  切り欠き部
４  コーヒー粉等の飲料抽出原料
５  カップ
７  周縁部
【図１】
2004208906.tif 000003
【図２】
2004208906.tif 000004
【図３】
2004208906.tif 000005
【図４】
2004208906.tif 000006
【図５】
2004208906.tif 000007
【図６】
2004208906.tif 000008
【図７】
2004208906.tif 000009
【図８】
2004208906.tif 000010
【図９】
2004208906.tif 000011
【図１０】
2004208906.tif 000012
【図１１】
2004208906.tif 000013
【図１２】
2004208906.tif 000014
【図１３】
2004208906.tif 000015
【図１４】
2004208906.tif 000016
【図１５】
2004208906.tif 000017